(57)【特許請求の範囲】
【請求項１】
撮像レンズを通過した光束を分割し、前記分割された光束により形成される複数の像の相対的な位置関係に応じて、前記撮像レンズの合焦状態を検出する焦点検出装置であって、
前記撮像レンズを通過した光束を制限するための矩形の開口を有する視野マスクと、
前記開口により制限された光束を、前記開口の長手方向又は前記開口の短手方向に分割する第１の焦点検出光学系と、
前記開口により制限された光束を、前記長手方向および前記短手方向とは異なる斜め方向に分割する第２の焦点検出光学系と、
前記第１の焦点検出光学系により分割された光束を受光する、前記撮像レンズの予定結像面上の画面内における前記第１の焦点検出光学系による分割の方向である前記長手方向又は前記短手方向にそれぞれ延びた複数の第１の焦点検出領域と、
前記第２の焦点検出光学系により分割された光束を受光する、前記画面内における前記第２の焦点検出光学系による分割の方向である前記斜め方向にそれぞれ延びた複数の第２の焦点検出領域と、を備え、
前記複数の第２の焦点検出領域は、前記画面内で前記斜め方向に延びた状態で前記長手方向又は短手方向に複数配列されていることを特徴とする焦点検出装置。
【請求項２】
前記第２の焦点検出領域の配置間隔は、前記第１の焦点検出領域の配置間隔より狭いことを特徴とする請求項１に記載の焦点検出装置。
【請求項３】
前記複数の第１の焦点検出領域は、前記撮像レンズの第１のＦ値以下の光束により、焦点検出を行い、
前記複数の第２の焦点検出領域は、前記撮像レンズの前記第１のＦ値より小さい第２のＦ値以下の光束により、焦点検出を行う
ことを特徴とする請求項１に記載の焦点検出装置。
【発明の詳細な説明】
【技術分野】
【０００１】
本発明は、焦点検出装置に関する。
【背景技術】
【０００２】
デジタルカメラやビデオカメラに代表される撮像装置の普及に伴って、撮像装置には、高品位化及び小型化がますます要求されるようになってきている。特に、撮像装置の撮像レンズ（撮像光学系）の焦点状態を検出する焦点検出装置の高精度化及び小型化が望まれている。近年では、撮像レンズの瞳を複数の領域に分割し、各領域を通過した光束が形成する複数の光学像の相対的な位置関係から撮像レンズの焦点状態を検出するＴＴＬ位相差方式を利用した焦点検出装置が主流となってきている。
【０００３】
上述のような焦点検出装置においては、２次結像レンズの入射面に形成された対のレンズ部と、射出面に形成された対のプリズム部とにより、対の受光素子列上に対の像を形成する。そして、撮影レンズのデフォーカスに伴い、これらの対の像は、開口対の並び方向である相関方向に移動する。よって、この相関方向と直交した方向に焦点検出領域を複数配置することにより、撮影画面内の広範囲において焦点検出ができる焦点検出装置を提供できる。例えば特許文献１は、撮影画面に対して水平方向、および垂直方向に配置された複数の焦点検出領域を備えている。
【０００４】
また、特許文献２には、焦点位置検出装置において、画面中央部に互いに略４５度の角度をなす第１の十字センサ及び第２の十字センサを設けることが記載されている。
【先行技術文献】
【特許文献】
【０００５】
【特許文献１】特開２００７−１３９９３５号公報
【特許文献２】特開平１１‐２８１８７７号公報
【発明の概要】
【発明が解決しようとする課題】
【０００６】
特許文献１のように開口対の並び方向である相関方向と直交した方向に焦点検出領域を複数配置することについては従来から考えられていた。しかしながら、特許文献２に記載されているような斜め方向に対して、複数の焦点検出領域を配置することは、考えられていなかった。
【０００７】
特許文献２に記載されているような斜め方向に対して、複数の焦点検出領域を密に配置するためには、特許文献１を参照すると、相関方向と直交した方向に焦点検出領域を複数配置するほうがよい。
【０００８】
一方で、被写体は、建築物や人工物や眉毛など水平もしくは垂直方向にコントラストを有するものが多い。したがって、焦点検出領域の延びた方向は、斜め方向よりも水平方向又は垂直方向である方が、被写体のコントラストを認識しやすい。そのため、焦点検出用光束を制限する視野マスクは、水平方向又は垂直方向の焦点検出に適した形状とするのが一般的である。
【０００９】
本発明の目的は、斜め方向の焦点検出領域を画面内に効率的に配置することにある。
【課題を解決するための手段】
【００１０】
本発明の１つの側面に係る焦点検出装置は、撮像レンズを通過した光束を分割し、前記分割された光束により形成される複数の像の相対的な位置関係に応じて、前記撮像レンズの合焦状態を検出する焦点検出装置であって、前記撮像レンズを通過した光束を制限するための矩形の開口を有する視野マスクと、前記開口により制限された光束を、前記開口の長手方向又は前記開口の短手方向に分割する第１の焦点検出光学系と、前記開口により制限された光束を、前記長手方向および前記短手方向とは異なる斜め方向に分割する第２の焦点検出光学系と、前記第１の焦点検出光学系により分割された光束を受光する、前記撮像レンズの予定結像面上の画面内における前記第１の焦点検出光学系による分割の方向である前記長手方向又は前記短手方向にそれぞれ延びた複数の第１の焦点検出領域と、前記第２の焦点検出光学系により分割された光束を受光する、前記画面内における前記第２の焦点検出光学系による分割の方向である前記斜め方向にそれぞれ延びた複数の第２の焦点検出領域と、を備え、前記複数の第２の焦点検出領域は、前記画面内で前記斜め方向に延びた状態で前記長手方向又は短手方向に複数配列されていることを特徴とする。
【発明の効果】
【００１１】
本発明によれば、斜め方向の焦点検出領域を画面内に効率的に配置することができる。
【図面の簡単な説明】
【００１２】
【図１】本発明の実施形態に係る焦点検出装置１００を含む撮像装置１の概略構成図。
【図２】本発明の実施形態に係る焦点検出装置１００の構成を示す概略斜視図。
【図３】本発明の実施形態に係る焦点検出装置１００のＹＺ断面図。
【図４】焦点検出装置１００における視野マスクを示す概略平面図。
【図５】焦点検出装置１００における多孔絞りを示す概略平面図。
【図６】焦点検出装置１００における再結像レンズユニットを示す概略平面図。
【図７】焦点検出装置１００における焦点検出センサを示す概略平面図。
【図８】ファインダー視野における焦点検出領域について説明するための図。
【図９】ファインダー視野における焦点検出領域について説明するための図。
【図１０】焦点検出装置１００における焦点検出センサを示す概略平面図。
【発明を実施するための形態】
【００１３】
本発明の実施形態に係る焦点検出装置１００を含む撮像装置１の概略構成を、図１を用いて説明する。
【００１４】
撮像装置１は、図１に示すように、撮像レンズ１０及びカメラ本体を備える。カメラ本体は、図示しないマウント部を介して、撮像レンズ１０が着脱可能なように構成されている。撮像装置１は、例えば、一眼レフカメラである。
【００１５】
撮像レンズ１０は、被写体を撮像するための交換型の撮像レンズであり、図示しない焦点調整レンズを含む撮像光学系を備えている。撮像レンズ１０は、後述する制御部８０によって、後述する焦点検出装置１００による焦点検出処理の結果に応じて、焦点調整レンズを介して焦点（状態）が調整される。撮像レンズ１０は、レンズ鏡筒ＬＢによって、光軸ＯＡ方向に移動可能に保持される。なお、撮像レンズ１０は、カメラ本体から外された状態において撮像装置１の構成要素となるわけではないが、焦点検出装置１００による焦点検出を行う際にカメラ本体に装着することが必須となるので、撮像装置１の構成要素として扱う。
【００１６】
カメラ本体は、主ミラー２０、ファインダー光学系３０、サブミラー４０、撮像センサ５０、焦点検出装置１００、及び制御部８０を有する。
【００１７】
主ミラー２０は、半透過性を有するハーフミラー又は一部にハーフミラー面を有する可動ミラーで構成される。主ミラー２０は、撮像レンズ１０を通過した光の一部を反射してその反射光を光軸ＯＡ”に沿って後述するファインダー光学系３０に導くと共に、撮像レンズ１０を通過した光の一部を透過してその透過光を光軸ＯＡに沿って後述するサブミラー４０に導く。
【００１８】
ファインダー光学系３０は、撮像する被写体を観察するための光学系である。換言すれば、ファインダー光学系３０は、撮像される被写体の画像と等価な観察用の画像を擬似的にユーザーに提供する。ファインダー光学系３０は、図１に示すように、焦点板３２と、ペンタプリズム３４と、接眼レンズ３６とを有する。
【００１９】
主ミラー２０で反射された撮像レンズ１０からの光は焦点板３２近傍に集光する。焦点板３２は、マット面とフレネル面とを有し、その面上にはファインダー視野が形成される。焦点板３２は、さらに被写体光を拡散してペンタプリズム３４に射出する。ペンタプリズム３４は、光路変換素子で、焦点板３２で拡散された光を複数面で反射し、接眼レンズ３６に導く。接眼レンズ３６は、アイピースとも呼ばれる。接眼レンズ３６は、焦点板３２上に形成されたファインダー視野を接眼レンズ３６を通してユーザーが観察可能なように構成されている。
【００２０】
サブミラー４０は、主ミラー２０に対して光軸ＯＡの下流に配置され、主ミラー２０を透過した光（透過光）を反射し、その反射光を光軸ＯＡ’に沿って焦点検出装置１００に導く。光軸ＯＡ’は、サブミラー４０によって光軸ＯＡから偏向された光軸である。サブミラー４０は、撮像光路（光軸ＯＡ）上への挿脱が可能なように構成される。サブミラー４０は、ファインダー観察時に撮像光路（光軸ＯＡ）上の所定の位置に配置され、撮像時に撮像光路（光軸ＯＡ）外に退避する。
【００２１】
撮像センサ５０は、複数の画素が規則的に配列された画素配列を有している。撮像センサ５０は、撮像レンズ１０によって撮像面（画素配列）に形成された被写体の像を画像信号に変換する。撮像センサ５０は、例えば、受光した光を画素毎に光電変換し、その受光量に応じた電荷をそれぞれ蓄積して、かかる電荷を読み出すタイプのエリア（２次元）センサーで構成される。また、撮像センサ５０は、例えば、ＣＭＯＳイメージセンサーやＣＣＤイメージセンサで構成してもよい。なお、撮像センサ５０からの出力信号は、図示しない画像処理回路にて所定の処理が施されて画像データとなり記録用の画像データへ変換される。その後、その記録用の画像データが図示しない半導体メモリ、光ディスク及び磁気テープ等の記録媒体に記録される。
【００２２】
焦点検出装置１００は、位相差方式を利用して、撮像レンズ１０の焦点状態を検出する。換言すれば、焦点検出装置１００は、撮像レンズ１０を通過しサブミラー４０で反射された光を分割し、分割された光束により形成される複数の像の相対的な位置関係に応じて、撮像レンズ１０の焦点状態を検出する。すなわち、焦点検出装置１００は、複数対の像を形成し、各対の像を光電変換して得られる信号に基づいて、撮像レンズ１０の焦点状態を検出する。
【００２３】
具体的には、図２及び図３に示すように、焦点検出装置１００は、光軸ＯＡ’に沿って、視野マスク１１０、フィールドレンズ１１１、フィルター１１３、多孔絞り１１４、再結像レンズユニット（２次光学系）１１５、及び焦点検出センサ１１６を順に含む。
【００２４】
視野マスク１１０は、図４に示すように、撮像レンズ１０を通過した光束を制限するための矩形の開口１１０ａを中央部に有する。視野マスク１１０は、撮像レンズ１０の予定結像面の近傍に配置される。
【００２５】
フィールドレンズ１１１は、視野マスク１１０に対して光軸ＯＡ’の下流に配置される。フィールドレンズ１１１は、光学作用を持つレンズ部１１１ａを含む。レンズ部１１１ａは、フィールドレンズ１１１における視野マスク１１０の開口１１０ａに対応した部分である。
【００２６】
フィルター１１３は、近赤外光よりも長い波長を有する光を遮断する。フィルター１１３は、可視光に対して収差補正された撮像レンズ１０の焦点を検出する場合に適応し、後述する焦点検出センサ１１６に不要な赤外光が入射することを防止する。
【００２７】
多孔絞り１１４は、薄板で構成され、フィルター１１３に対して光軸ＯＡ’の下流側に隣接して配置される。多孔絞り１１４は、図５に示すように、中央部に、開口１１０ａの長手方向（Ｙ方向）に配列された１対の開口１１４ａｖ１及び１１４ａｖ２と、開口１１０ａの短手方向（Ｘ方向）に配列された１対の開口１１４ａｈ１及び１１４ａｈ２とを有する。更に、多孔絞り１１４は、中央部に、左斜め４５度方向に配列された１対の開口１１４ａｓ１及び１１４ａｓ２と、右斜め４５度方向に配列された１対の開口１１４ａｄ１及び１１４ａｄ２とを有する。なお、開口１１４ａは、開口１１４ａｖ１、１１４ａｖ２、１１４ａｈ１、１１４ａｈ２、１１４ａｓ１、１１４ａｓ２、１１４ａｄ１、及び１１４ａｄ２を総括するものとする。
【００２８】
再結像レンズユニット１１５は、第１の焦点検出光学系ＦＤ１及び第２の焦点検出光学系ＦＤ２を含む。第１の焦点検出光学系ＦＤ１は、視野マスク１１０の開口１１０ａにより制限された光束を、開口１１０ａの長手方向（Ｙ方向）及び開口１１０ａの短手方向（Ｘ方向）の少なくとも一方に分割する。第２の焦点検出光学系ＦＤ２は、視野マスク１１０の開口１１０ａにより制限された光束を、光束の光軸に垂直な面内における開口１１０ａの長手方向に対して鋭角（例えば、４５°）をなすように交差する斜め方向に分割する。そして、再結像レンズユニット１１５は、撮像レンズ１０によって結像された予定結像面上の被写体像の再結像（２次像）を、光軸ＯＡ’の下流に配置された焦点検出センサ１１６の複数対の素子配列における各素子配列の上に形成する。各対の素子配列における各素子配列では、後述のように、複数の焦点検出素子が所定の方向に配列されている。再結像レンズユニット１１５は、多孔絞り１１４が有する４対の開口に対応するプリズム部及びレンズ部を有する。なお、図６（ａ）は再結像レンズユニットの入射側を、図６（ｂ）は再結像レンズユニットの射出側を示している。
【００２９】
再結像レンズユニット１１５は、図６（ａ）に示すように、入射側に、多孔絞り１１４の開口に対応するプリズム部を有する。再結像レンズユニット１１５は、中央部に、開口１１０ａの長手方向（Ｙ方向）に配列された１対のプリズム部１１５１ａｖ１及び１１５１ａｖ２と、開口１１０ａの短手方向（Ｘ方向）に配列された１対のプリズム部１１５１ａｈ１及び１１５１ａｈ２とを有する。１対のプリズム部１１５１ａｖ１及び１１５１ａｖ２は、開口１１０ａにより制限された光束を開口１１ａの長手方向（Ｙ方向）に分割する。１対のプリズム部１１５１ａｈ１及び１１５１ａｈ２は、開口１１０ａにより制限された光束を開口１１ａの短手方向（Ｘ方向）に分割する。すなわち、１対のプリズム部１１５１ａｖ１及び１１５１ａｖ２と、１対のプリズム部１１５１ａｈ１及び１１５１ａｈ２とは、上記の第１の焦点検出光学系ＦＤ１に含まれる。
【００３０】
更に、再結像レンズユニット１１５は、中央部に、左斜め４５度方向に配列された１対のプリズム部１１５１ａｓ１及び１１５１ａｓ２と、、右斜め４５度方向に配列された１対のプリズム部１１５１ａｄ１及び１１５１ａｄ２とを有する。左斜め４５度方向（斜め方向）は、光軸ＯＡ’の上流から下流を見た場合における開口１１０ａの長手方向に対して左回りに４５度回転した方向である。右斜め４５度方向（第２の斜め方向）は、光軸ＯＡ’の上流から下流を見た場合における開口１１０ａの長手方向に対して右回りに４５度回転した方向であり、光軸ＯＡ’に垂直な面内における左斜め４５度方向に垂直な方向である。１対のプリズム部１１５１ａｓ１及び１１５１ａｓ２は、開口１１０ａにより制限された光束を左斜め４５度方向に分割する。１対のプリズム部１１５１ａｄ１及び１１５１ａｄ２は、開口１１０ａにより制限された光束を右斜め４５度方向に分割する。すなわち、１対のプリズム部１１５１ａｓ１及び１１５１ａｓ２と、１対のプリズム部１１５１ａｄ１及び１１５１ａｄ２とは、上記の第２の焦点検出光学系ＦＤ２に含まれる。
【００３１】
なお、プリズム部１１５１ａは、プリズム部１１５１ａｖ１、１１５１ａｖ２、１１５１ａｈ１、１１５１ａｈ２、１１５１ａｓ１、１１５１ａｓ２、１１５１ａｄ１、及び１１５１ａｄ２を総括するものとする。
【００３２】
一方、再結像レンズユニット１１５は、図６（ｂ）に示すように、射出側に、上記のプリズム部に対応するレンズ部を有する。なお、かかるレンズ部は、球面を有する。再結像レンズユニット１１５は、中央部に、開口１１０ａの長手方向（Ｙ方向）に配列された１対のレンズ部１１５２ａｖ１及び１１５２ａｖ２と、開口１１ａの短手方向（Ｘ方向）に配列された１対のレンズ部１１５２ａｈ１及び１１５２ａｈ２とを有する。１対のレンズ部１１５２ａｖ１及び１１５２ａｖ２は、開口１１ａの長手方向（Ｙ方向）に分割された光束を焦点検出センサ１１６へ導く。１対のレンズ部１１５２ａｈ１及び１１５２ａｈ２は、開口１１ａの短手方向（Ｘ方向）に分割された光束を焦点検出センサ１１６へ導く。すなわち、１対のレンズ部１１５２ａｖ１及び１１５２ａｖ２と、１対のレンズ部１１５２ａｈ１及び１１５２ａｈ２とは、上記の第１の焦点検出光学系ＦＤ１に含まれる。
【００３３】
更に、再結像レンズユニット１１５は、中央部に、左斜め４５度方向に配列された１対のレンズ部１１５２ａｓ１及び１１５２ａｓ２と、右斜め４５度方向に配列された１対のレンズ部１１５２ａｄ１及び１１５２ａｄ２とを有する。１対のレンズ部１１５２ａｓ１及び１１５２ａｓ２は、左斜め４５度方向に分割された光束を焦点検出センサ１１６へ導く。１対のレンズ部１１５２ａｄ１及び１１５２ａｄ２は、右斜め４５度方向に分割された光束を焦点検出センサ１１６へ導く。すなわち、１対のレンズ部１１５２ａｓ１及び１１５２ａｓ２と、１対のレンズ部１１５２ａｄ１及び１１５２ａｄ２とは、上記の第２の焦点検出光学系ＦＤ２に含まれる。
【００３４】
なお、図６（ａ）は再結像レンズユニット１１５の入射側からの図であり、図６（ｂ）は再結像レンズユニット１１５の射出側からの図であるため、上述したレンズ部が左右逆転して図示されている。また、レンズ部１１５２ａは、レンズ部１１５２ａｖ１、１１５２ａｖ２、１１５２ａｈ１、１１５２ａｈ２、１１５２ａｓ１、１１５２ａｓ２、１１５２ａｄ１、及び１１５２ａｄ２を総括するものとする。
【００３５】
次に、焦点検出装置１００の焦点検出動作を説明する。但し、図６における参照番号の添え字１、及び２は、位相差方式の焦点検出装置において対となる２つの物体像を形成するための各要素を表す。
【００３６】
視野マスク１１０の開口１１０ａを通過した光束（開口１１０ａにより制限された光束）は、フィールドレンズ１１１のレンズ部１１１ａを透過し、フィルター１１３を介し、多孔絞り１１４に入射する。多孔絞り１１４の開口１１４ａは、フィールドレンズ１１１のレンズ部１１１ａによって、撮像レンズ１０の射出瞳近傍に逆投影されるように構成される。従って、視野マスク１１０の開口１１０ａに入射した光束の一部は、必ず多孔絞り１１４の開口１１４ａに到達する。
【００３７】
多孔絞り１１４の開口１１４ａｖ１、１１４ａｖ２、１１４ａｈ１、１１４ａｈ１は、略同一円に内接するように配されている。また、多孔絞り１１４の開口１１４ａｓ１、１１４ａｓ２、１１４ａｄ１、１１４ａｄ２は、前述の内接円と同一中心であって径のより大きな略同一円に内接するように配されている。このように配することにより、開口１１４ａｓ１、１１４ａｓ２、１１４ａｄ１、１１４ａｄ２には、他の開口１１４ａｖ１、１１４ａｖ２、１１４ａｈ１、１１４ａｈ１と比べ、より明るい（Ｆナンバーの小さい）撮像レンズ１０の光束が、到達する。
【００３８】
次に、多孔絞り１１４に対して光軸ＯＡ’の下流に位置する再結像レンズユニット１１５の各プリズム部及びレンズ部に、視野マスク１１０の開口１１０ａを通過した光束（開口１１０ａにより制限された光束）が導かれる。視野マスク１１０の開口１１０ａは、フィールドレンズ１１１のレンズ部１１１ａ、多孔絞り１１４の開口１１４ａ、再結像レンズユニット１１５のプリズム部１１５１ａ及びレンズ部１１５２ａを有する焦点検出光学系に対して設けられている。
【００３９】
再結像レンズユニット１１５から射出した光束は、光軸ＯＡ’の下流に位置する焦点検出センサ１１６に入射する。焦点検出センサ１１６には、視野マスク１１０の開口１１０ａをそれぞれ物体像（光学像）とした対の２次像が４組（即ち、８個）形成される。
【００４０】
図７（ａ）は、物体像が形成された状態の焦点検出センサ１１６を示す概略平面図である。図７（ａ）において、１１７ａｖ１〜１１７ａｄ２は、撮像レンズ１０の合焦時に視野マスク１１０の開口１１０ａによって形成される光学像である。多孔絞り１１４の対の開口（図５の添え字１、２の各々）と再結像レンズユニット１１５の対のプリズム部及びレンズ部（図６の添え字１、２の各々）との作用によって、視野マスク１１０の１つの開口に対応する光学像は、それぞれ２個ずつ形成される。
【００４１】
第１の焦点検出光学系ＦＤ１により開口１１ａの長手方向（Ｙ方向）に分割された１対の光束は、１対の光学像１１７ａｖ１及び１１７ａｖ２を形成する。第１の焦点検出光学系ＦＤ１により開口１１ａの短手方向（Ｘ方向）に分割された１対の光束は、１対の光学像１１７ａｈ１及び１１７ａｈ２を形成する。第２の焦点検出光学系ＦＤ２により左斜め４５度方向に分割された１対の光束は、１対の光学像１１６ａｓ１及び１１６ａｓ２を形成する。第２の焦点検出光学系ＦＤ２により右斜め４５度方向に分割された１対の光束は、１対の光学像１１６ａｄ１及び１１６ａｄ２を形成する。
【００４２】
１対の光学像１１７ａｖ１及び１１７ａｖ２の内側に、１対の素子配列１１６ａｖ１及び１１６ａｖ２が配される。１対の素子配列１１６ａｖ１及び１１６ａｖ２では、開口１１０ａの長手方向にそれぞれ延びた６対の焦点検出素子１１６ａｖ１−１〜１１６ａｖ１−６及び１１６ａｖ２−１〜１１６ａｖ２−６が配されている。ここで、ハイフンの後の数字が同じものが互いに対になっている。１対の素子配列１１６ａｖ１及び１１６ａｖ２における各素子配列では、焦点検出素子が開口１１０ａの短手方向に複数配列されている。これにより、撮像レンズ１０の予定結像面上の画面内で開口１１０ａの短手方向に配列されているとともに開口１１０ａの長手方向にそれぞれ延びている複数の第３の焦点検出エリア１１５ａｖ−１〜１１５ａｖ−６（図８（ａ）参照）を規定することができる。
【００４３】
同様に、１対の光学像１１７ａｈ１及び１１７ａｈ２の内側には、１対の素子配列１１６ａｈ１及び１１６ａｈ２が配される。１対の素子配列１１６ａｈ１及び１１６ａｈ２では、開口１１０ａの短手方向にそれぞれ延びた１０対の焦点検出素子１１６ａｈ１−１〜１１６ａｈ１−１０及び１１６ａｈ２−１〜１１６ａｈ２−１０が配されている。ここで、ハイフンの後の数字が同じものが互いに対になっている。１対の素子配列１１６ａｈ１及び１１６ａｈ２における各素子配列では、焦点検出素子が開口１１０ａの長手方向に複数配列されている。これにより、撮像レンズ１０の予定結像面上の画面内で開口１１０ａの長手方向に配列されているとともに開口１１０ａの短手方向にそれぞれ延びている複数の第４の焦点検出エリア１１５ａｈ−１〜１１５ａｈ−１０（図８（ａ）参照）を規定することができる。
【００４４】
すなわち、焦点検出センサ１１６は、図７（ｂ）、（ｃ）に示す複数の第１の焦点検出素子１１６ａｖ１−１〜１１６ａｖ１−６、１１６ａｖ２−１〜１１６ａｖ２−６、１１６ａｈ１−１〜１１６ａｈ１−１０、１１６ａｈ２−１〜１１６ａｈ２−１０を含む。複数の第１の焦点検出素子は、第１の焦点検出光学系ＦＤ１により分割された光束を受光する。各第１の焦点検出素子は、受光した光を光電変換することにより、焦点検出を行うための信号（電荷）を発生させる。各第１の焦点検出素子は、例えば、フォトダイオードである。また、複数の第１の焦点検出素子は、撮像レンズの予定結像面上の画面内における第１の焦点検出光学系ＦＤ１による分割の方向にそれぞれ延びて所定の配置間隔で配置された複数の第１の焦点検出領域を規定する。複数の第１の焦点検出領域は、複数の第３の焦点検出エリア１１５ａｖ−１〜１１５ａｖ−６と、複数の第４の焦点検出エリア１１５ａｈ−１〜１１５ａｈ−１０とを含む（図８（ａ）参照）。これにより、撮像レンズ１０の予定結像面上において、略格子形状に延びた複数の焦点検出領域（焦点検出エリア）を規定することができる。従って、焦点検出の処理精度を被写体の空間パターン（の方向）に依存せずに向上することが容易になる。
【００４５】
同様にして、１対の光学像１１７ａｓ１及び１１７ａｓ２の内側に、１対の素子配列１１６ａｓ１及び１１６ａｓ２が配される。１対の素子配列１１６ａｓ１及び１１６ａｓ２では、左斜め４５度方向にそれぞれ延びた１０対の素子配列１１６ａｓ１−１〜１１６ａｓ１−１０及び１１６ａｓ２−１〜１１６ａｓ２−１０が配されている。ここで、ハイフンの後の数字が同じものが互いに対になっている。１対の素子配列１１６ａｓ１及び１１６ａｓ２における各素子配列では、焦点検出素子が開口１１０ａの長手方向に複数配列されている。これにより、撮像レンズ１０の予定結像面上の画面内で開口１１０ａの長手方向に配列されているとともに左斜め４５度方向にそれぞれ延びている複数の第１の焦点検出エリア１１５ａｓ−１〜１１５ａｓ−１０（図８（ｂ）参照）を規定することができる。
【００４６】
１対の光学像１１７ａｄ１及び１１７ａｄ２の内側に、１対の素子配列１１６ａｄ１及び１１６ａｄ２が配される。１対の素子配列１１６ａｄ１及び１１６ａｄ２では、右斜め４５度方向にそれぞれ延びた１０対の素子配列１１６ａｄ１−１〜１１６ａｄ１−１０及び１１６ａｄ２−１〜１１６ａｄ２−１０が配されている。ここで、ハイフンの後の数字が同じものが互いに対になっている。１対の素子配列１１６ａｄ１及び１１６ａｄ２における各素子配列では、焦点検出素子が開口１１０ａの長手方向に複数配列されている。これにより、撮像レンズ１０の予定結像面上の画面内で開口１１０ａの長手方向に配列されているとともに右斜め４５度方向にそれぞれ延びている複数の第２の焦点検出エリア１１５ａｄ−１〜１１５ａｄ−１０（図８（ｂ）参照）を規定することができる。
【００４７】
すなわち、焦点検出センサ１１６は、図７（ｄ）、（ｅ）に示す複数の第２の焦点検出素子１１６ａｓ１−１〜１１６ａｓ１−１０、１１６ａｓ２−１〜１１６ａｓ２−１０、１１６ａｄ１−１〜１１６ａｄ１−１０、１１６ａｄ２−１〜１１６ａｄ２−１０を含む。複数の第２の焦点検出素子は、第２の焦点検出光学系ＦＤ２により分割された光束を受光する。各第２の焦点検出素子は、受光した光を光電変換することにより、焦点検出を行うための信号（電荷）を発生させる。各第２の焦点検出素子は、例えば、フォトダイオードである。また、複数の第２の焦点検出素子は、撮像レンズの予定結像面上の画面内における第２の焦点検出光学系ＦＤ２による分割の方向にそれぞれ延びた複数の第２の焦点検出領域を規定する。複数の第２の焦点検出領域は、複数の第１の焦点検出エリア１１５ａｓ−１〜１１５ａｓ−１０と、複数の第２の焦点検出エリア１１５ａｄ−１〜１１５ａｄ−１０とを含む（図８（ｂ）参照）。これにより、互いに交差するように左斜め４５度方向及び右斜め４５度方向に延びながら開口１１０ａの長手方向に配列された複数の焦点検出領域（焦点検出エリア）を規定することができる。従って、上述した略格子形状に延びた複数の焦点検出領域と合わせて使用することにより、焦点検出の処理精度を被写体の空間パターン（の方向）に依存せずに向上することがさらに容易になる。
【００４８】
なお、各第１の焦点検出素子及び各第２の焦点検出素子は、蓄積型の光電変換素子で構成されてもよい。また、各第１の焦点検出素子及び各第２の焦点検出素子は、図７に示すように、いずれも略直線状に延びているが、焦点検出光学系の歪曲収差を打ち消すために、光学像の歪みにあわせた形状としてもよい。更に、対となる焦点検出素子を必ずしも別々に配置する必要はなく、一列の焦点検出素子を用いて、信号の処理過程において複数に分割してもよい。
【００４９】
焦点検出装置１００において、予定結像面に対する実際の物体像の光軸方向の位置の変化に伴い、視野マスク１１０の光学像内部にある被写体の焦点検出センサ１１６上での光学像は、互いに近づく方向又は遠ざかる方向に移動する。例えば、撮像レンズ１０が予定結像面よりも光軸ＯＡ’の上流側に光束を結像させると、焦点検出センサ１１６上に形成された１対の光学像は、互いに近づく方向に移動する。また、撮像レンズ１０が予定結像面よりも光軸ＯＡ’の下流側に光束を結像させると、焦点検出センサ１１６上に形成される１対の光学像は、その逆方向、即ち、互いに遠ざかる方向に移動する。この際、光学像の移動する方向に複数の焦点検出素子を並べることによって、光学像の移動を検出する。かかる検出結果（焦点検出センサ１１６の出力）に基づいて、光学像の光量分布の相対的位置間隔を周知の相関演算手段によって算出する。
【００５０】
１対の光学像の間隔の変化量を求めることができれば、かかる変化量と撮像レンズ１０のデフォーカス量との関係を、変化量を変数とした多項式などで近似することで撮像レンズ１０のデフォーカス量を求めることができる。これにより、撮像レンズ１０の焦点（焦点状態）を検出することが可能となる。換言すれば、１対の光学像の間隔を演算することで、複数の焦点検出素子の予定結像面上への逆投影像として規定される複数の焦点検出領域について、撮像レンズ１０の焦点（焦点状態）を検出することができる。
【００５１】
１対の素子配列１１６ａｖ１及び１１６ａｖ２は、互いに開口１１０ａの長手方向に並んでいるため、開口１１０ａの長手方向にコントラスト成分を有する被写体の焦点検出に適している。一方、１対の素子配列１１６ａｈ１及び１１６ａｈ２は、互いに開口１１０ａの短手方向に並んでいるため、開口１１０ａの短手方向にコントラスト成分を有する被写体の焦点検出に適している。従って、両者を組み合わせると、いわゆる、クロス型の焦点検出を行うことができる。これにより、焦点検出結果は、被写体がどの方向にコントラスト成分を有するかに左右されにくいものとなる。これにより、高精度な焦点検出を行うことが容易になる。
【００５２】
また、本実施形態では、上述の通り、素子配列１１６ａｖ１、１１６ａｖ２、１１６ａｈ１、１１６ａｈ２には、多孔絞り１１４の開口１１４ａｖ１、１１４ａｖ２、１１４ａｈ１、１１４ａｈ２を通過した光束が到達する。そのため、他の多孔絞り１１４の開口を通過した光束を用いた焦点検出に比べて、撮像レンズ１０の明るさ（Ｆナンバー）の影響を受けにくく、比較的、多くの撮像レンズで焦点検出を行うことができる。
【００５３】
更に、１対の素子配列１１６ａｓ１及び１１６ａｓ２は、互いに左斜め４５度方向に並んでいるため、左斜め４５度方向にコントラスト成分を有する被写体の焦点検出に適している。一方、１対の素子配列１１６ａｄ１及び１１６ａｄ２は、互いに右斜め４５度方向に並んでいるため、右斜め４５度方向にコントラスト成分を有する被写体の焦点検出に適している。従って、前述したクロス型の焦点検出に加え斜め方向のクロス型の焦点検出も行うことにより、焦点検出結果は、被写体がどの方向にコントラスト成分を有するかにさらに左右されにくいものとなる。これにより、高精度な焦点検出を行うことがさらに容易になる。
【００５４】
また、本実施形態では、上述の通り、素子配列１１６ａｓ１、１１６ａｓ２、１１６ａｄ１、１１６ａｄ２には、多孔絞り１１４の開口１１４ａｓ１、１１４ａｓ２、１１４ａｄ１、１１４ａｄ２を通過した光束が到達する。そのため、他の多孔絞り１１４の開口を通過した光束を用いた焦点検出に比べて、撮像レンズ１０が明るい（Ｆナンバーが小さい）ことが必要となるが、デフォーカス量に対する、１対の光学像の間隔変化が大きいため、より高精度に焦点検出を行うことができる。
【００５５】
次に、図８を参照して、ファインダー視野における焦点検出領域について説明する。図８（ａ）は、撮像装置１の焦点板３２の面上を、ペンタプリズム３４及び接眼レンズ３６を介して観察したファインダー視野と焦点検出領域との関係を示している。焦点板３２は、撮像レンズ１０の予定結像面近傍に配置されるため、予定結像面と考えてよい。
【００５６】
図８において、１５１は、撮像範囲の正立像であるファインダー視野を示している。ファインダー視野は、概ね撮影範囲に相当する。この撮影範囲は、請求項中の画面に対応する。ファインダー視野は略長方形で構成され、長辺が開口１１０ａの短手方向と、短辺が開口１１０ａの長手方向と平行に構成される撮像装置が一般的である。焦点検出センサ１１６における１対の素子配列は、撮像レンズ１０の予定結像面上に逆投影すると略一致して重なる。
【００５７】
図８（ａ）は、開口１１０ａの長手方向及び短手方向に延びた複数の第１の焦点検出領域を含むファインダー視野を示している。ファインダー視野１５１において、１５１ａｖ−１〜１５１ａｈ−１０は、焦点検出センサ１１６の２対の素子配列（１１６ａｖ１、１１６ａｖ２、１１６ａｈ１、１１６ａｈ２）に対応する逆投影像として規定される複数の第１の焦点検出領域である。これらの焦点検出領域１５１ａｖ−１〜１５１ａｈ−１０は、焦点検出センサ１１６における焦点検出素子の逆投影像として規定されるため、開口１１０ａの長手方向又は短手方向に延びた形状を有する被写体の光量分布を検出することができる。
【００５８】
なお、焦点検出領域群１１５ａｖは、焦点検出領域１１５ａｖ１〜１１５ａｖ６を総括するものとする。焦点検出領域群１１５ａｈは、焦点検出領域１１５ａｈ１〜１１５ａｈ１０を総括するものとする。
【００５９】
また、本実施形態では、２つの焦点検出領域を１組として、その焦点検出領域のデフォーカス量を算出するように構成されている。ここで、２つの焦点検出領域を、素子配列の画素ピッチの半ピッチに対応する分ずらした配置、いわゆる千鳥配置とし、２つの焦点検出領域から得られる被写体の光量分布により光学像の間隔を算出することにより、より高精度な焦点検出を行うことができる。
【００６０】
また、焦点検出領域に付与した添え字ａｖ〜ａｈは、図７で示した焦点検出センサ１１６の素子配列に付与した添え字に対応している。例えば、焦点検出素子１１６ａｖ１−１の逆投影によって規定されるのは、焦点検出領域１５１ａｖ−１である。
【００６１】
ここで、ファインダー視野１５１において、開口１１０ａの短手方向（添え字ｈ）に延びた２つの焦点検出領域の１組と開口１１０ａの長手方向（添え字ｖ）に延びた２つの焦点検出領域の１組との交点を焦点検出点と定義する。図８（ａ）に示すように、それぞれの焦点検出点を、Ｐ１〜Ｐ１５とする。それぞれの焦点検出点におけるデフォーカス量は、開口１１０ａの長手方向及び短手方向の被写体の光量分布から算出される。換言すれば、焦点検出点Ｐ１〜Ｐ１５は、いわゆる、クロス型の焦点検出領域における複数の交点である。すなわち、焦点検出点Ｐ１〜Ｐ１５は、開口１１０ａの長手方向に延びた複数の第３の焦点検出エリアと開口１１０ａの短手方向に延びた複数の第４の焦点検出エリアとの複数の交点である。
【００６２】
本実施形態では、開口１１０ａの長手方向及び短手方向のクロス型の焦点検出領域における焦点検出点は、ファインダー視野１５１の中央部に５行３列、計１５箇所存在し、かかる焦点検出領域に対応する被写体の焦点検出を行うことができる。それぞれの焦点検出点における焦点検出を行う際には、それぞれに対応する焦点検出領域（焦点検出エリア）の少なくとも一部を用いて、デフォーカス量を算出する。すなわち、それぞれの素子配列の出力の少なくとも一部を切り出して用いて、光学像の間隔を演算する。
【００６３】
図８（ｂ）は、左斜め４５度方向及び右斜め４５度方向に延びた複数の第２の焦点検出領域を含むファインダー視野を示している。ファインダー視野１５１において、１５１ａｓ−１〜１５１ａｄ−１０は、焦点検出センサ１１６の２対の素子配列（１１６ａｓ１、１１６ａｓ２、１１６ａｄ１、１１６ａｄ２）に対応する逆投影像として規定される複数の第２の焦点検出領域である。これらの焦点検出領域１５１ａｓ−１〜１５１ａｄ−１０は、焦点検出センサ１１６における焦点検出素子の逆投影像として規定されるため、左斜め４５度方向又は右斜め４５度方向に延びた形状を有する被写体の光量分布を検出することができる。
【００６４】
なお、焦点検出領域群１１５ａｓは、焦点検出領域群１１５ａｓ１〜１１５ａｓ１０をを総括するものとする。焦点検出領域群１１５ａｄは、焦点検出領域群１１５ａｄ１〜１１５ａｄ１０を総括するものとする。
【００６５】
また、本実施形態では、２つの焦点検出領域を１組として、その焦点検出領域のデフォーカス量を算出するように構成されている。
【００６６】
また、焦点検出領域に付与した添え字ａｓ〜ａｄは、図７で示した焦点検出センサ１１６の素子配列に付与した添え字に対応している。例えば、素子配列１１６ａｓ１−１の逆投影によって規定されるのは、焦点検出領域１５１ａｓ−１である。
【００６７】
ここで、ファインダー視野１５１において、右斜め４５度方向（添え字ｓ）に延びた２つの焦点検出領域の１組と左斜め４５度方向（添え字ｄ）に延びた２つの焦点検出領域の１組との交点が焦点検出点Ｐ６〜Ｐ１０と重なるように配置する。すなわち、複数の第３の焦点検出エリアと複数の第４の焦点検出エリアとの複数の交点Ｐ１〜Ｐ１５は、複数の第１の焦点検出エリアと複数の第２の焦点検出エリアとの複数の交点Ｐ６〜Ｐ１０を含む。それぞれの焦点検出点におけるデフォーカス量は、右斜め４５度方向及び左斜め４５度方向の被写体の光量分布から算出される。換言すれば、焦点検出点Ｐ６〜Ｐ１０は、いわゆる、右斜め４５度方向及び左斜め４５度方向のクロス型の焦点検出領域における複数の交点である。複数の焦点検出点Ｐ６〜Ｐ１０は、画面内で開口１１０ａの長手方向に配列されている。
【００６８】
本実施形態では、右斜め４５度方向及び左斜め４５度方向のクロス型の焦点検出領域における焦点検出点は、ファインダー視野１５１の中央部に５行１列、計５箇所存在し、かかる焦点検出領域に対応する被写体の焦点検出を行うことができる。それぞれの焦点検出点における焦点検出を行う際には、それぞれに対応する焦点検出領域（焦点検出エリア）の少なくとも一部を用いて、デフォーカス量を算出する。すなわち、それぞれの素子配列の出力の少なくとも一部を切り出して用いて、光学像の間隔を演算する。
【００６９】
ところで、焦点検出装置には、焦点検出領域を、撮像時の構図上、被写体が配置される可能性の高い位置に複数、且つ、広範囲にわたって有することが要求されている。更に、各々の焦点検出点に対応した焦点検出領域が、より多くの方向に延びており、被写体の向きによらず、光量分布が取得できることが要求されている。
【００７０】
この要求を満たすためには、図２に示す視野マスク１１０の開口１１０ａをできる限り大きくし画面を大きくすることにより、より広範囲にわたって焦点検出領域を配置させることが考えられる。しかし、撮像範囲（ファインダー視野１５１）内において、視野マスク開口の大きさが大きくなるほど、焦点検出センサ１１６上での光学像１１７ａｖ１〜１１７ａｄ２が重なり合い、焦点を検出することができなくなる。これは、視野マスクの開口を、１１０ａ以外にも設け、光軸ＯＡ’との交点からできるだけ離れた位置を中心として配置すれば回避できる。その開口を通過した光束が、別途設けられた後段の焦点検出光学系を通過することにより、より広範囲にわたって、焦点検出領域を配置することができる。もしくは、光学像の重なりを回避するために、焦点検出光学系の光路を延ばすことも考えられる。しかし、この回避策によると、撮像装置内に焦点検出装置を配置することを考慮した場合における小型化が困難になる。
【００７１】
このため、視野マスク１１０の開口１１０ａの大きさ（寸法）は制限される。本実施形態では、そのような制限のもと、上記のように、画面内により高密度により多くの方向に延びた焦点検出領域を配置することで、上記の要求を満たしている。
【００７２】
次に、本実施形態における複数の第１の焦点検出領域の別の配置例について説明する。図９は、最も高密度に、クロス型焦点検出領域をファインダー視野１５１に配置した例である。図９（ａ）は、開口１１０ａの長手方向及び短手方向のクロス型の焦点検出領域の配置を示す。図９（ｂ）は、左斜め４５度方向及び右斜め４５度方向のクロス型の焦点検出領域の配置を示している。
【００７３】
図９（ａ）では、開口１１０ａの長手方向及び短手方向に延びた複数の第１の焦点検出領域を、それぞれの延びた方向に直行する方向に、隙間なく配置することにより、密に、焦点検出領域を配置している。Ｌｖ１〜Ｌｖ６は、開口１１０ａの長手方向に延びた焦点検出エリア（第３の焦点検出エリア）を示し、Ｌｈ１〜Ｌｈ１０は、開口１１０ａの短手方向に延びた焦点検出エリア（第４の焦点検出エリア）を示している。各焦点検出領域（各焦点検出エリア）は、上述した通り、焦点検出素子の逆投影像として規定される。図８に関して上述したのと同様に、ファインダー視野１５１の開口１１０ａの短手方向（添え字ｈ）に延びた２つの焦点検出領域の１組と開口１１０ａの長手方向（添え字ｖ）に延びた２つの焦点検出領域の１組との交点を焦点検出点と定義する。この場合、計１５点の焦点検出点（図９（ａ）中の黒丸点）を、２次元的に（マトリックス状に）配置することができる。ここでは、１５点の焦点検出点を配置するように図示したが、同様にして、開口１１０ａの長手方向及び短手方向のクロス型の焦点検出領域における、より多くの数又はより少ない数の焦点検出点を配置することができる。
【００７４】
図９（ｂ）では、右斜め４５度および左斜め４５度方向に延びた複数の第１の焦点検出領域を、それぞれの延びた方向に直行する方向に、隙間なく配置することにより、密に、焦点検出領域を配置している。Ｌｄ１〜Ｌｄ６は、左斜め４５度方向に延びた焦点検出エリアを示し、Ｌｓ１〜Ｌｓ１０は、右斜め４５度方向に延びた焦点検出エリアを示している。各焦点検出領域（各焦点検出エリア）は、上述した通り、焦点検出素子の逆投影像として規定される。図８に関して上述したのと同様に、ファインダー視野１５１の左斜め４５度方向（添え字ｄ）に延びた２つの焦点検出領域の１組と右斜め４５度方向（添え字ｓ）に延びた２つの焦点検出領域の１組との交点を焦点検出点と定義する。この場合、計１５点の焦点検出点（図９（ｂ）中の黒丸点）を、４５度傾いた長方形に配置することができる。ここでは、１５点の焦点検出点を配置するように図示したが、同様にして、右斜め４５度および左斜め４５度方向のクロス型の焦点検出領域における、より多くの数又はより少ない数の焦点検出点を配置することができる。
【００７５】
一般的に、ユーザーが、焦点検出点を選択する際には、十字選択操作手段などを用いる。このことを考えると、焦点検出領域は、図９（ａ）のように開口１１０ａの長手方向及び短手方向に配置されているほうが、図９（ｂ）のように斜めに互い違いに配置されているより選択しやすい。また、焦点検出領域は、被写体の光量分布を取得しデフォーカス量を演算するために用いられる。このとき、人や建物など一般的な被写体には、垂直方向又は水平方向に、光量分布が顕著、すなわち、コントラストの高いものが多い。また、上述した通り、撮像範囲内のより広い範囲に焦点検出領域を配置することを考えた場合、視野マスク１１０における開口１１０ａの形状は、垂直方向及び水平方向の直線で概ね構成される形状にすることができる。撮像範囲は、一般的に水平方向及び垂直方向の直線で構成される四角形であるため、視野マスクにおける開口の形状も、垂直方向及び水平方向の直線で構成される形状の方が、密に無駄なく、焦点検出領域を配置することができる。例えば、図９（ｂ）のように第１の焦点検出領域を配置すると、視野マスクの開口は、斜め４５度に傾いた矩形（長方形）の開口となり、更に、他の視野マスクの開口を設ける際に、効率的な配置が困難になる。
【００７６】
以上のような観点から、クロス型の焦点検出領域（複数の第１の焦点検出領域）は、開口１１０ａの長手方向及び短手方向に配置されているほうが望ましい。本実施形態では、図８（ｂ）で説明した通り、斜め方向のクロス型の焦点検出領域（複数の第２の焦点検出領域）の交点を、開口１１０ａの長手方向に配列し、Ｐ６〜Ｐ１０と重ねる。これにより、開口１１０ａの長手方向及び短手方向の焦点検出領域の範囲内に、斜め方向の焦点検出領域を、効率的に配置することができる。これにより、広範囲の焦点検出領域における高密度な焦点検出点の配置が可能となり、より多くの方向の被写体の光量分布の検出を同時に実現することができる。
【００７７】
なお、本実施形態では、焦点検出領域と焦点検出素子の逆投影像とが一致するように構成したが、焦点検出領域は、焦点検出素子の逆投影像の一部でもかまわない。より具体的には、斜め方向のクロス型の焦点検出領域は、一般的には、視野マスク開口は、縦長なので、開口１１０ａの長手方向に配置するように構成したが、焦点検出素子の逆投影像は、これに限らず、斜め４５度方向の辺で構成される長方形内に配置され、その一部を焦点検出領域として使用してもよい。例えば、図１０のように、短手方向に、斜め視野が配置されることも考えられる。
【００７８】
また、本実施形態では、光の分割方向が斜め４５度方向の第２の焦点検出光学系は、光の分割方向が開口１１０ａの長手方向及び短手方向の第１の焦点検出光学系と比べて、撮像レンズ１０がより明るい（Ｆ値が小さい）光束に対応するように構成されている。これに応じて、複数の第１の焦点検出素子は、撮像レンズ１０の第１のＦ値以下の光束により、焦点検出を行う。一方、複数の第２の焦点検出素子は、撮像レンズ１０の第１のＦ値より小さい第２のＦ値以下の光束により、焦点検出を行う。これにより、より多くのレンズで、開口１１０ａの長手方向及び短手方向のクロス型の焦点検出を行うことができる。また、撮像レンズ１０がより明るく（Ｆ値が小さく）、被写体深度が浅い光束に対しては、より高精度に焦点検出を行える斜め４５度方向のクロス型の焦点検出を、開口１１０ａの長手方向及び短手方向の焦点検出に加えて、行うことができる。これにより、焦点検出処理の更なる高精度化を実現することができる。
【００７９】
図１に戻って、制御部８０は、焦点検出装置１００が検出した撮像レンズ１０の焦点状態（焦点ずれの方向及びデフォーカス量）に基づいて、撮像レンズ１０が有する焦点調整レンズを制御し、撮像レンズ１０の焦点を調整する。詳細には、制御部８０は、撮像レンズ１０の焦点ずれの方向及びデフォーカス量に基づいて、焦点調整レンズの駆動量を算出し、かかる算出結果を図示しない撮像レンズ側制御部に送信する。かかる撮像レンズ側制御部は、制御部８０からの焦点調整レンズの駆動量に基づいて、モーター等を介して焦点調整レンズを駆動する。
【００８０】
次に、撮像装置１の動作について説明する。
【００８１】
ファインダー観察時において、撮像レンズ１０を通過した光は、主ミラー２０で反射され、焦点板３２に結像し、ペンタプリズム３４及び接眼レンズ３６を介してユーザーにより観察される。また、主ミラー２０を透過した光は、サブミラー４０で反射され、焦点検出装置１００に入射する。焦点検出装置１００は、上述したように、高精度に撮像レンズ１０の焦点状態を検出することができる。かかる検出結果に基づいて、制御部８０及び図示しない撮像レンズ側制御部は、撮像レンズ１０内に含まれるフォーカスレンズを駆動して、合焦状態を得る。
【００８２】
一方、撮像時（記録用画像の取得時すなわち本撮影時）において、主ミラー２０及びサブミラー４０は、撮像光路上から退避し、撮像レンズ１０を通過した光は、撮像センサ５０で撮像される。撮像装置１は、焦点検出装置１００によって撮像レンズ１０の焦点を高精度に検出すると共に、かかる検出結果に基づいて、撮像レンズ１０の焦点を調整することができるため、高品位な画像を撮像することができる。また、焦点検出装置１００は、上述したように、大型化及びコストアップを防止することができる。従って、焦点検出装置１００を用いる撮像装置１も大型化及びコストアップを防止することができる。
【図１】
0005448731.tif 000002
【図２】
0005448731.tif 000003
【図３】
0005448731.tif 000004
【図４】
0005448731.tif 000005
【図５】
0005448731.tif 000006
【図６】
0005448731.tif 000007
【図７】
0005448731.tif 000008
【図８】
0005448731.tif 000009
【図９】
0005448731.tif 000010
【図１０】
0005448731.tif 000011